(57)【要約】【課題】本発明は、ベルトラッパーベルトが蛇行せず、鋼帯などの巻きずれが生じないベルトラッパーを提供する。【解決手段】複数のガイドロールに巻きまわしてドラムの外周面に沿わせた無端ベルトを有し、前記無端ベルトは内周面に少なくとも1以上の凸部を有し、前記ガイドロールのうち前記無端ベルトの内周面に接するものには、ロール軸と前記ロール軸に外挿され無端ベルトに内接しその外周面に無端ベルトの凸部に嵌合する溝が形成され回転可能な筒状部材を備え、筒状部材の両端部外側に前記ロール軸に外挿され前記筒状部材と独立して回転可能で且つ鋼帯の押し疵を防止する外径寸法を有している環状部材を備える。【選択図】図１
2006095557.tif 000002
【特許請求の範囲】
【請求項１】
複数のガイドロールに巻きまわしてドラムの外周面に沿わせた無端ベルトとドラムの外周面との間に鋼帯の先端部を挟み込んで鋼帯をドラムに巻きつかせるベルトラッパーであって、前記無端ベルトは内周面に少なくとも1以上の凸部を有し、前記ガイドロールのうち前記無端ベルトの内周面に接するものには前記凸部に嵌合する溝部が形成されていることを特徴とするベルトラッパー。
【請求項２】
請求項１記載のベルトラッパーにおいて、複数のガイドロールのうち、無端ベルトの内周面に接するガイドロールが、ロール軸と前記ロール軸に外挿され無端ベルトに内接する回転可能な筒状部材を備え、前記筒状部材の外周面には無端ベルトの凸部に嵌合する溝部が形成されていることを特徴とするベルトラッパー。
【請求項３】
請求項２記載の無端ベルトの内周面に接するガイドロールのロール軸に外挿される筒状部材の両端部外側に前記ロール軸に外挿され、前記筒状部材と独立して回転可能で且つ鋼帯の押し疵を防止する外径寸法を有している環状部材を備えていることを特徴とするベルトラッパー。
【発明の詳細な説明】
【技術分野】
【０００１】
本発明は、鋼帯などの巻き取りを行うベルトラッパーに関するものである。
【背景技術】
【０００２】
金属帯例えば冷間圧延薄鋼帯や表面処理薄鋼帯（電気亜鉛鍍金薄鋼帯、溶融亜鉛鍍金薄鋼帯、錫鍍金薄鋼帯）などをコイル形状に巻き取る装置として、無端ベルトの外面をドラム（巻軸）の外周面に沿わせるように構成し、鋼帯を巻軸と無端ベルトの間に挟み込み、巻軸に巻きつかせるベルトラッパが使用されている。
【０００３】
ベルトラッパを用いて鋼帯を巻き取り、コイル形状とする際に無端ベルトが巻軸の軸方向に移動する蛇行を生じるとコイルの巻き形状に巻きずれを生じたり、無端ベルトがベルトラッパーのフレームに接触して破損する。
【０００４】
コイルの巻きずれは製品の外観不良や、次工程でのハンドリングでコイルのはみ出し部が破損したり、鋼帯に擦り傷を発生するため、巻き直しを必要とし、生産性を低下させる。
【０００５】
また、無端ベルトが破損すると、交換のためのライン停止を生じて生産性を低下させ、新品購入費用も発生する。
【０００６】
特許文献１、２は無端ベルトの巻軸軸方向に対する蛇行防止技術に関し、特許文献１には蛇行検出器が無端ベルトの蛇行を検出すると、その検出量に応じてベルト蛇行調整ロールを傾動させてベルト張力を調整し蛇行を防止する技術が記載されている。
【０００７】
図４は特許文献１記載のベルトラッパーの構成を示し、無端ベルト１５０の背面側にベルト蛇行調整ロール８０を配置し、ベルト蛇行検出器９０により無端ベルト１５０の蛇行を検出する。
【０００８】
ベルト蛇行検出器９０からの検出信号はコンバータ１００で電気信号に変換され、演算装置１１０によりベルト蛇行調整ロール８０を傾動させるウオームジャッキ式傾動装置１３０を駆動するモータ１２０に供給される。
【０００９】
ウオームジャッキ式傾動装置１３０にはロードセル１４０が取り付けられ、無端ベルト１５０からの荷重を検出し過大な荷重がウオームジャッキ式傾動装置１３０に負荷されることを防止する。
【００１０】
特許文献２は６ｍｍ以上のヘビーゲージの板厚の鋼帯を巻き取る際、ベルトの背面側からリンクで相互に連結された補強ロールからなるバックアップ機構でベルトを支持し、鋼帯を巻き取り軸に巻きつかせた場合に生じる蛇行を防止する技術が記載されている。
【特許文献１】特開平５−１２３７４５号公報
【特許文献２】特開昭５１−４５６５６号公報
【発明の開示】
【発明が解決しようとする課題】
【００１１】
しかしながら、特許文献１に記載の蛇行防止方法は、蛇行検出器やベルト蛇行調整ロールおよび蛇行検出器からの検出信号に基づきベルト蛇行調整ロールを傾動させる制御系を必要とし、設備費用が増大する。
【００１２】
また、特許文献２記載の装置は補強ロールを連結させるためのリンク機構が複雑で設備費用が増大する。また巻き取り鋼帯の肉厚が薄い場合、補強ロールやリンク機構は必要でなく、むしろ調整不良により蛇行が誘発されることが懸念される。
【００１３】
本発明は、複雑な機構を用いずにベルトの蛇行を防止して鋼帯をコイル状にする際の巻きずれを防止し、且つ鋼帯の巻き始めにおけるベルトによる押し疵を防止するベルトラッパーを提供することを目的とする。
【課題を解決するための手段】
【００１４】
本発明の課題は、以下の手段により達成できる。
１．複数のガイドロールに巻きまわしてドラムの外周面に沿わせた無端ベルトとドラムの外周面との間に鋼帯の先端部を挟み込んで鋼帯をドラムに巻きつかせるベルトラッパーであって、前記無端ベルトは内周面に少なくとも1以上の凸部を有し、前記ガイドロールのうち前記無端ベルトの内周面に接するものには前記凸部に嵌合する溝部が形成されていることを特徴とするベルトラッパー。
２．１記載のベルトラッパーにおいて、複数のガイドロールのうち、無端ベルトの内周面に接するガイドロールが、ロール軸と前記ロール軸に外挿され無端ベルトに内接する回転可能な筒状部材を備え、前記筒状部材の外周面には無端ベルトの凸部に嵌合する溝部が形成されていることを特徴とするベルトラッパー。
３．２記載の無端ベルトの内周面に接するガイドロールのロール軸に外挿される筒状部材の両端部外側に前記ロール軸に外挿され、前記筒状部材と独立して回転可能で且つ鋼帯の押し疵を防止する外径寸法を有している環状部材を備えていることを特徴とするベルトラッパー。
【発明の効果】
【００１５】
本発明によれば、ベルトラッパーベルトの蛇行が防止されるので、鋼帯をコイル状とした際の巻きずれを防止できる。また、ベルトラッパーベルトの蛇行を防止するためその内周面に設けられた凸部と嵌合するロール側溝角部による押し疵や、ベルトラッパーベルトの両端部による押し疵を防止することが可能となる。
【発明を実施するための最良の形態】
【００１６】
以下、本発明を図面を用いて詳細に説明する。
図３に本発明の一実施形態に係るベルトラッパーを示す。図において１はベルトラッパー、２〜２ｂはフレーム、３〜３ｅはガイドロール、４は無端ベルト、５はテンションリールのドラム、６は鋼帯を示す。
【００１７】
ベルトラッパー１は、ドラム５に鋼帯６を巻きつける際、無端ベルト４をドラム５の周囲に巻きまわせるように分割され、相互に回転可動なフレーム２、２ａ，２ｂを有する。図はフレーム２、フレーム２ａ、フレーム２ｂをドラム５を囲うように配置し、鋼帯６を無端ベルト４とドラム５の間に挟み込む状況を示す。
無端ベルト４はガイドロール３〜３ｅに巻きかかり、回転する閉ループを形成し、鋼帯６の先端部が該閉ループとドラム５の外周面の間に挟み込まれることにより、鋼帯６はドラム５を巻き取り軸としてコイル状に捲きつけられる。
【００１８】
本発明に係るベルトラッパーベルトは、無端ベルトの内周面に少なくとも１以上の凸部を有し、ガイドロール３〜３ｅのうち前記無端ベルトの内周面に接するもの（ガイドロール３、３ａ，３ｂ，３ｃ，３ｅ）には前記凸部に嵌合する溝部が形成されていることを特徴とする。
【００１９】
図１（ａ）に無端ベルト４の模式的断面図を示す。無端ベルト内周面に凸部４１を設ける。凸部４１の数は特に規定しないが、安定した蛇行防止効果を得るためには２本以上とすることが好ましい。無端ベルトおよび凸部の材質は特に規定しない。
【００２０】
図１（ｂ）にガイドロール３の構造を概略断面図で示す。図において３１はロール軸、３２はロール軸３１に対して回転可能なように外挿され、無端ベルト４（図では省略）が捲き掛かる筒状部材、３３は筒状部材３２の両端部外側でロール軸３１に、筒状部材３２と独立して回転可能なように外挿される環状部材、３４は環状部材３３に取り付けられる軟質材を示す。
【００２１】
筒状部材３２の外周面には無端ベルト４の凸部４１に嵌合する溝ａが形成され、蛇行を防止する。巻き取る鋼帯が無端ベルトとドラムに挟み込まれる際ガイドロール３の溝ａに押し込まれて押し疵が生じるようならば、環状部材３３を筒状部材３２の両端部外側でロール軸３１に外挿し、防止する。
【００２２】
鋼帯が軟質な場合、環状部材の外周に軟質材３４をはめ込むと押し疵の発生防止に有効で、軟質材３４は無端ベルト４と同等または、より軟質な素材が好ましい。
【００２３】
溝ａの上端部に面取りを施すと、無端ベルト４の巻きまわしが円滑で、特に軟質な鋼帯を巻き取る際に無端ベルト４の内周に設けられた凸部により発生する押し疵を防止でき好ましい。
【００２４】
図２はガイドロール３の端部構造を示す概略断面図で、無端ベルト４と、環状部材３３の外周部に取り付けた軟質材３４の位置関係を示す。軟質材３４の外周面は無端ベルト４の外周面より鋼帯に距離ｈだけ近づける。軟質材３４と無端ベルト４は外径が相違するため、鋼板に接触した際、両者が独立的に回転できるように間隔を設ける。
【００２５】
軟質材３４の材質、距離ｈは巻き取る鋼帯の材質により適宜選択し、本発明では特に規定しない。例えば板厚０．１５〜０．６ｍｍの軟質冷延鋼板の場合は距離ｈを１ｍｍとすると押し疵が発生せず好ましい。本発明では環状部材の外径寸法とは軟質材３４を取り付けた状態での外径寸法とする。
本発明ではガイドロール３ａ，３ｂ，３ｃ，３ｅの構造もガイドロール３と同じ構造とする。無端ベルト４の内周面と接しないガイドロール３ｄの構造は特に規定しない。
【実施例】
【００２６】
軟質材規格の鋼帯をベルトラッパーでテンションリールのドラムに巻き取り、コイル形状、表面性状を調査した。調査は目視で行い、表面性状はリコイリングライン(検査ライン)で巻戻すことにより巻き取り内周側の先端部５ｍについて行った。鋼帯は広幅で、無端ベルト幅より広い鋼帯を用いた。
【００２７】
ベルトラッパーのベルトラッパーベルトとして内周面に凸部付きの無端ベルトを用いた場合は、溝付きのガイドロールで環状部材がないもの（実施例１）、溝付きのガイドロールに環状部材と更に軟質材を取り付けたもの（実施例２）の２種類、内周面に凸部をつけない無端ベルトの場合はフラットガイドロール（従来例）とした。
【００２８】
表１に調査結果を示す。○は良好、△は可、×は不良を示し、溝付きのガイドロールで環状部材がないもの（実施例１）は軽微な押し疵が観察されたが、溝付きのガイドロールに環状部材と更に軟質材を取り付けたもの（実施例２）では押し疵は観察されなかった。
【００２９】
【表１】
2006095557.tif 000003
【図面の簡単な説明】
【００３０】
【図１】（ａ）は凸部付き無端ベルト、（ｂ）はガイドロールを示す概略断面図。
【図２】ガイドロール端部の概略断面図。
【図３】本発明例。
【図４】従来例。
【符号の説明】
【００３１】
１            ベルトラッパー
２〜２ｂ      フレーム
３〜３ｅ      ガイドロール
４            無端ベルト（凸部付き）
５            テンションリールのドラム
６            鋼帯
３１          ロール軸
３２          筒状部材
３３          環状部材
３４          軟質材
８０          ベルト蛇行調整ロール
９０          ベルト蛇行検出器
１００        コンバータ
１１０        演算装置
１２０        モータ
１３０        ウオームジャッキ式傾動装置
１４０        ロードセル
１５０        無端ベルト
【図１】
2006095557.tif 000004
【図２】
2006095557.tif 000005
【図３】
2006095557.tif 000006
【図４】
2006095557.tif 000007